(57)【要約】【課題】敷居面を略平坦にしつつも上枠や縦枠及び障子との調和の取れたサッシ下枠を提供する。【解決手段】内外障子２、３をそれぞれ走行自在に納めた枠体１を構成し、上面を略平坦に形成したサッシ下枠において、下枠１０は内障子２を走行自在とする突出状の内レール１３と、外障子３を走行自在とする突出状の外レール１４とを備えると共に、内レール１３と外レール１４により凹状部１６を形成し、凹状部１６には内レール１３から外レール１４に渡って下枠カバー体７０を設け、下枠カバー体７０は室内側に内障子２の下框４０の下端部と対向する室内側上面７２を備え、室内側上面７２の室外側に外障子３の下框４０の下端部と対向する室外側上面７３を備えると共に、室外側上面７３は段部７４を介して室内側上面７２よりも高く形成されてなる。【選択図】図３
2005273231.tif 000002
【特許請求の範囲】
【請求項１】
内外障子をそれぞれ走行自在に納めた枠体を構成し、上面を略平坦に形成したサッシ下枠において、
上記下枠は内障子を走行自在とする突出状の内レールと、外障子を走行自在とする突出状の外レールとを備えると共に、上記内レールと外レールにより凹状部を形成し、該凹状部には上記内レールから外レールに渡って下枠カバー体を設け、
上記下枠カバー体は室内側に上記内障子の下框の下端部と対向する室内側上面を備え、該室内側上面の室外側に上記外障子の下框の下端部と対向する室外側上面を備えると共に、該室外側上面は段部を介して室内側上面よりも高く形成されてなることを特徴とするサッシ下枠。
【請求項２】
上記下枠カバー体の室外側上面は上記外障子の下框の下面と対峙する略水平面に形成されてなることを特徴とする請求項１記載のサッシ下枠。
【請求項３】
上記下枠カバー体の段部と室内側上面は滑らかな曲面により連続状とされてなることを特徴とする請求項１または２記載のサッシ下枠。
【請求項４】
上記下枠カバー体の室外側上面は室外側から室内側に向かう下り傾斜状に形成されてなることを特徴とする請求項１〜３のいずれか１項に記載のサッシ下枠。
【請求項５】
上記下枠カバー体は上記内外障子を閉じた状態で外障子側に位置する室内露出部分は樹脂材からなると共に、上記内外障子を閉じた状態で内障子側に位置する室外露出部分は金属材からなることを特徴とする請求項１〜４のいずれか１項に記載のサッシ下枠。
【発明の詳細な説明】
【技術分野】
【０００１】
本発明は建物開口部に設けられ内外障子を納めてなるサッシのサッシ下枠に関し、特に下枠の敷居面を略平坦に形成した下枠フラットサッシのサッシ下枠に関する。
【背景技術】
【０００２】
従来から、建物の出入口等に設けられる引き違い障子を納めたサッシにおいて、下枠に設けられる障子用のレールを室内側の床面と略同じ高さにして、車椅子でサッシを室内外方向に通過しやすくしたものが知られている。これは、レールの高さを略揃えていることにより、車椅子の車輪が比較的上下動することなくレール間を通過することができるようにしたものである。
【０００３】
また一方で、金属材からなるサッシの枠体及び障子の室内側露出部分を樹脂材にて略覆う複合サッシが広く用いられている。複合サッシはサッシの断熱性を確保することができると共に、樹脂材には様々な色や模様を付すことができるので、サッシの室内側における意匠性を高めることができるものである。以上のような下枠フラットサッシで、かつ複合サッシであるものとしては例えば特許文献１に示すようなものがある。
【特許文献１】特開２００３−１７６６６６号公報
【発明の開示】
【発明が解決しようとする課題】
【０００４】
しかし、従来のサッシ下枠においては、以下に述べる問題点を有していた。
複合サッシは通常、枠体を構成する上下枠及び左右の縦枠のいずれにおいても、室内側に露出する部分に樹脂材を設けることでデザインに統一性を持たせて意匠性を高めている。しかし、下枠フラットサッシでは、特許文献１にも示すように、下枠には樹脂材は設けられていなかった。したがって、下枠だけは金属材が露出することになるので、デザインの統一性が必ずしも取れていなかった。
【０００５】
本発明は、上記問題点を解決すべくなされたものであり、敷居面を略平坦にしつつも上枠や縦枠及び障子との調和の取れたサッシ下枠を提供することを目的とする。
【課題を解決するための手段】
【０００６】
上記課題を解決するため、本発明に係るサッシ下枠は、内外障子をそれぞれ走行自在に納めた枠体を構成し、上面を略平坦に形成したサッシ下枠において、
上記下枠は内障子を走行自在とする突出状の内レールと、外障子を走行自在とする突出状の外レールとを備えると共に、上記内レールと外レールにより凹状部を形成し、該凹状部には上記内レールから外レールに渡って下枠カバー体を設け、
上記下枠カバー体は室内側に上記内障子の下框の下端部と対向する室内側上面を備え、該室内側上面の室外側に上記外障子の下框の下端部と対向する室外側上面を備えると共に、該室外側上面は段部を介して室内側上面よりも高く形成されてなることを特徴として構成されている。
【０００７】
また、本発明に係るサッシ下枠は、上記下枠カバー体の室外側上面は上記外障子の下框の下面と対峙する略水平面に形成されてなることを特徴として構成されている。
【０００８】
さらに、本発明に係るサッシ下枠は、上記下枠カバー体の段部と室内側上面は滑らかな曲面により連続状とされてなることを特徴として構成されている。
【０００９】
さらにまた、本発明に係るサッシ下枠は、上記下枠カバー体の室外側上面は室外側から室内側に向かう下り傾斜状に形成されてなることを特徴として構成されている。
【００１０】
そして、本発明に係るサッシ下枠は、上記下枠カバー体は上記内外障子を閉じた状態で外障子側に位置する室内露出部分は樹脂材からなると共に、上記内外障子を閉じた状態で内障子側に位置する室外露出部分は金属材からなることを特徴として構成されている。
【発明の効果】
【００１１】
本発明に係るサッシ下枠によれば、下枠の内レールと外レールの間に形成される凹状部に下枠カバー体を設け、その室外側上面は段部を介して室内側上面よりも高く形成されてなることにより、下枠を室内側から室外側に渡って段差をなくすことができ、敷居面を略平坦にすることができると共に、上枠や縦枠及び障子との調和の取れたサッシ下枠とすることができる。
【００１２】
また、本発明に係るサッシ下枠によれば、下枠カバー体の室外側上面は外障子の下框の下面と対峙する略水平面に形成されてなることにより、下枠の略平坦な面を広く形成することができる。また、外障子の下框の構成を下枠がフラットでない通常のサッシと同様にすることができ、部品を共用化できるので、サッシのコストダウンを図ることができる。
【００１３】
さらに、本発明に係るサッシ下枠によれば、下枠カバー体の段部と室内側上面は滑らかな曲面により連続状とされてなることにより、室内側からサッシ下枠を見た場合に、意匠性を高めることができると共に、サッシに浸入した水を下枠カバー体の室内側に導くことができるので、浸入した水を室内側から見えにくいようにすることができる。さらに、段部との間に角部が生じないので室内側上面の清掃作業を容易にすることができる。
【００１４】
さらにまた、本発明に係るサッシ下枠によれば、下枠カバー体の室外側上面は室外側から室内側に向かう下り傾斜状に形成されてなることにより、室外側上面の水を下枠カバー体の室内側上面に排水しやすくすることができる。
【００１５】
そして、本発明に係るサッシ下枠によれば、下枠カバー体は内外障子を閉じた状態で外障子側に位置する室内露出部分は樹脂材からなり、内外障子を閉じた状態で内障子側に位置する室外露出部分は金属材からなることにより、サッシ下枠の室内側露出部分については上枠や縦枠及び障子との調和を取ることができると共に、室外側露出部分については金属材を用いることで、下枠カバー体の劣化を防ぐことができる。
【発明を実施するための最良の形態】
【００１６】
本発明の実施形態について図面に沿って詳細に説明する。図１は、本実施形態におけるサッシの縦断面図である。また、図２は、本実施形態におけるサッシの横断面図である。これら各図において、本実施形態におけるサッシは、建物開口部に装着された下枠１０、上枠２０、及び縦枠３０、３０からなる枠体１内に、下框４０、上框５０、及び縦框６０、６０を框組みしてガラス体８０を納めてなる内障子２及び外障子３を引違い状に走行自在に納めると共に、外障子３の室外側に網戸４を納めてなるものである。
【００１７】
枠体１を構成する下枠１０と上枠２０及び縦枠３０は、複合型の枠材であり、ベースとなる金属部材とその室内側露出部分を覆う樹脂部材とから構成されている。金属部材は、金属下枠１１、金属上枠２１、金属縦枠３１、３１を方形に枠組みして構成される。一方、樹脂部材は、金属下枠１１に対して樹脂下枠１２が、金属上枠２１に対して樹脂上枠２２が、金属縦枠３１、３１に対して樹脂縦枠３２、３２が、それぞれ取付けられる。各金属部材には、それぞれ係止片が設けられ、樹脂部材はそれらに係合された上で、ネジによって固定される。
【００１８】
一方、内障子２及び外障子３は、上記枠体１と同様に金属部材とその室内側露出部分を略覆うように取付けられた樹脂部材とから構成されている。金属部材は、金属下框４１、金属上框５１、金属縦框６１、６１を方形に框組みして構成され、樹脂部材は、樹脂下框４２、樹脂上框５２、樹脂縦框６２、６２から構成されている。そして、樹脂下框４２は金属下框４１に、樹脂上框５２は金属上框５１に、樹脂縦框６２、６２は金属縦框６１、６１に、それぞれ取り付けられている。各金属部材には、それぞれ係止片が設けられ、樹脂部材はそれらに係合された上で、ネジ及びカシメによって固定される。
【００１９】
なお、枠体１と内障子２及び外障子３の金属部材は通常アルミの押出し型材にて成型され、また枠体１と内障子２及び外障子３の樹脂部材は塩化ビニルやアクリル樹脂等から成型される。このように樹脂部材にて金属部材の室内側露出部分を覆うことにより、金属による冷たい感じを隠し、また熱伝導率の低い樹脂によって断熱効果を向上させている。また、これらの樹脂材には、木材粉等を混入させて、外観上あたかも木材で形成されているかの観を呈することもできる。
【００２０】
下枠１０についてさらに詳細に説明する。図３には、下枠１０付近の拡大図を示している。この図に示すように金属下枠１１には、その上面に室内側から順に内レール１３、外レール１４、網戸レール１８が形成されており、その上端がそれぞれ略同じ高さとされている。また、内レール１３の室内側には室内凹状部１５が、内レール１３と外レール１４の間には中間凹状部１６が、外レール１４と網戸レール１８の間には室外凹状部１７が、それぞれ形成されている。
【００２１】
金属下枠１１の室内側露出部分となる室内凹状部１５及び室内側面には、それぞれ樹脂下枠１２が設けられる。室内凹状部１５には、凹状部に合わせて凹状に形成されると共に、室内側に延出し室内側の床面と略同じ高さとされる上縁部１２ａを備えた樹脂下枠１２を設け、室内側面にはそれに沿った形状の樹脂下枠１２を設ける。
【００２２】
また、中間凹状部１６には、下枠カバー体７０が設けられる。下枠カバー体７０は、内レール１３から外レール１４に渡って中間凹状部１６を略覆うものであって、内障子２と外障子３を閉じた状態において、外障子３が配置される中間凹状部１６の室内側露出部分については樹脂材からなり、内障子２が配置される中間凹状部１６の室外側露出部分については金属材からなっている。
【００２３】
下枠カバー体７０は、中間凹状部１６の室内側露出部分に配置される部分については樹脂材からなっているので、上枠２０や縦枠３０、及び各障子が室内側露出部分に樹脂部材を設けているのと対応して、下枠１０のデザイン上の統一を図ることができる。
【００２４】
下枠カバー体７０は下部に形成された取付部７５によって中間凹状部１６に係合状に固定されている。また、上面７１は、室内側上面７２と室外側上面７３とからなり、これらは段部７４を介して段差を形成するようにされている。室内側上面７２は室外側上面７３よりも低くなるように形成されており、また段部７４から室内側上面７２にかけては滑らかな曲線によって連続状とされている。これによって後述するように内障子２の下框４０下端部を室内側上面７２側に納めることができる。
【００２５】
また、室外側上面７３は室外側から室内側に向かって僅かに下り傾斜状に形成されており、室外側上面７３に浸入した水を室内側上面７２側に導くことができる。これによって、室内側に浸入した水を見えにくいようにすることができる。
【００２６】
次に、下枠１０によって走行自在とされる内障子２及び外障子３の下框４０について説明する。内障子２の下框４０は、内レール１３に戴置される車輪４７を備えており、下框４０の室内側下端部は車輪４７よりも下方まで垂下されて、内障子室内片４３を構成し、一方で下框４０の室外側下端部は車輪４７よりも下方まで垂下されて内障子室外片４４を構成する。
【００２７】
内障子室内片４３は、室内凹状部１５内に納められ、内障子２の走行時にはこの室内凹状部１５によって長手方向に案内される。一方、内障子室外片４４は、下枠カバー体７０の室内側上面７２と対向するように中間凹状部１６に納められる。また、内障子室外片４４の内レール１３と対向する内側の面には水密材４４ａが設けられており、室内側への水の浸入を防いでいる。
【００２８】
外障子３の下框４０は、外レール１４に戴置される車輪４７を備えており、下框４０の室内側下端部は車輪４７の下端と略同じ高さまで垂下されて、外障子室内片４５を構成し、一方で下框４０の室外側下端部は車輪４７よりも下方まで垂下されて外障子室外片４６を構成する。
【００２９】
外障子室内片４５は、その下面４５ａが下枠カバー体７０の室外側上面７３と対向する。また、外障子室外片４６は、室外凹状部１７内に納められる。また、外障子室外片４６の外レール１４と対向する内側の面には水密材４６ａが設けられており、室内側への水の浸入を防いでいる。
【００３０】
下枠カバー体７０の室外側上面７３と外障子室内片４５が対向するように形成されていることにより、外障子３の下框４０として、下枠１０を略平坦に形成するものでない通常のサッシに用いられる下框４０を用いることができるので、部品を共用化することができ、コストダウンを図ることができる。
【００３１】
ここで、樹脂下枠１２及び下枠カバー体７０は、いずれも金属下枠１１に対して着脱自在に取付けられる。図４には下枠１０の組立図を示す。この図に示すように、金属下枠１１の室内側に形成された室内凹状部１５に対して、上縁部１２ａを備えた樹脂下枠１２が取付けられる。また、金属下枠１１の室内側面には、その形状に略適合する樹脂下枠１２が取付けられる。さらに、金属下枠１１に形成される中間凹状部１６に対して、下部に取付部７５を備えた下枠カバー体７０が係合状に取付けられる。
【００３２】
また、図５には下枠１０の平面図を示している。この図に示すように、下枠カバー体７０については、上述のように中間凹状部１６の室内側露出部分となる外障子３が配置される部分には、樹脂材からなる樹脂下枠カバー体７０ａが取付けられている。一方で、中間凹状部１６の室外側露出部分となる内障子２が配置される部分には、金属材からなる金属下枠カバー体７０ｂが取付けられている。
【００３３】
なお、樹脂下枠カバー体７０ａと金属下枠カバー体７０ｂの室内側上面７２には、排水孔７６が長手方向に数カ所設けられている。排水孔７６は下枠カバー体７０の上面７２に浸入した水を中間凹状部１６の底面に導くものである。下枠１０の排水構造については後述する。
【００３４】
中間凹状部１６には、内障子２と外障子３の召合せ部分となる下枠１０長手方向の中間位置に、気密ブロック７７が設けられている。図６に気密ブロック７７の斜視図を示す。この図に示すように、気密ブロック７７はその上面が下枠カバー体７０の上面７２と略同じ形状となるように形成されており、さらにその上面にヒレ状部７７ａを備えてなるものである。気密ブロック７７は上面にヒレ状部７７ａを備えていることにより、このヒレ状部７７ａが内障子２の内障子室外片４４と外障子３の外障子室内片４５とにそれぞれ当接し、障子の召合せ部分において室内側に水が浸入することを防ぐことができる。
【００３５】
このように、金属下枠１１の中間凹状部１６には、内障子２と外障子３の召合せ部分に気密ブロック７７が設けられ、その左右にはそれぞれ長手方向端部に渡って樹脂下枠カバー体７０ａと金属下枠カバー体７０ｂが設けられる。樹脂下枠カバー体７０ａは複合型の枠材からなる上枠２０や縦枠３０及び各障子との調和を図ることができるものの、これが室外側に露出すると劣化するおそれがある。そこで、中間凹状部１６の室外側露出部分には金属材からなる金属下枠カバー体７０ｂとすることで、その劣化を防ぐことができる。その一方で、各障子を閉じた状態では金属下枠カバー体７０ｂは室内側に露出しないので、室内側から見た場合の意匠性も悪化させることがない。
【００３６】
次に、下枠１０の排水構造について詳細に説明する。図７は下枠１０の排水構造を示した縦断面図である。また、図８（ａ）は下枠１０の正面図、図８（ｂ）は下枠１０の平面図である。各図の矢印は水の流れを示している。これら各図に示すように、下枠１０の排水構造としては、室内凹状部１５と中間凹状部１６及び室外凹状部１７にそれぞれ排水孔が形成されており、下枠１０に浸入した水が金属下枠１１に形成された中空部１１ａに導かれて室外に排出される。
【００３７】
図７に示すように、室内凹状部１５に納められる樹脂下枠１２に浸入した水は、内レール１３に形成された内レール排水孔１９ａにより、中間凹状部１６の室内側上面７２に導かれる。また、室内凹状部１５の底部に浸入した水については、室内凹状部１５の下部側面に形成された室内凹状部排水孔１９ｂにより、金属下枠１１の中空部１１ａに導かれる。
【００３８】
下枠カバー体７０の室外側上面７３に浸入した水は、室外側上面７３が室内側に向かって僅かに下り傾斜状に形成されていることにより、室内側上面７２へと導かれる。上記内レール排水孔１９ａを介して下枠カバー体７０の室内側上面７２に導かれた水と、下枠カバー体７０に上方から浸入した水は、下枠カバー体７０の室内側上面７２に形成された排水孔７６を介して中間凹状部１６の底部に導かれる。中間凹状部１６の底部には、中間凹状部排水孔１９ｃが形成されており、これによって水は金属下枠１１の中空部１１ａに導かれる。
【００３９】
室外凹状部１７に浸入した水は、室外凹状部１７の底部に形成された室外凹状部排水孔１９ｄによって、金属下枠１１の中空部１１ａに導かれる。さらに、金属下枠１１の中空部１１ａは、内部の隔壁によって２つの領域に分けられており、室内側の領域から室外側の領域に水を導くために、中空部連通孔１９ｅが形成されている。そして、金属下枠１１の中空部１１ａのうち、室外側の領域に導かれた水は、下枠１０の室外側側面に形成された室外排水孔１９ｆによって室外に排出される。
【００４０】
図８（ｂ）に示すように、内レール排水孔１９ａは、内レール１３のうち、外障子３が配置される側において長手方向数カ所に設けられている。また、室内凹状部排水孔１９ｂは、室内凹状部１５の両端部にそれぞれ設けられている。
【００４１】
下枠カバー体７０の排水孔７６は、上述のように下枠カバー体７０の長手方向に複数個所設けられ、その下方には中間凹状部排水孔１９ｃが形成されている。また、金属下枠１１の中空部１１ａに設けられる中空部連通孔１９ｅは、下枠１０の両端部に設けられているので、中空部１１ａに導かれた中間凹状部１６よりも室内側の水は、中空部１１ａ内で一旦両端部に導かれる。なお、中間凹状部排水孔１９ｃは、室外露出側となる内障子２が配置される側については、水の逆流を防ぐ排水器が設けられている。一方、室内露出側となる外障子３が配置される側については、排水器は設けられておらず、金属下枠１１に対する開口のみとして形成される。
【００４２】
さらに、室外凹状部排水孔１９ｄは、室外凹状部１７の両端部近傍にそれぞれ設けられる。この室外凹状部排水孔１９ｄは、いずれも室外側に露出しているので、水の逆流を防ぐ排水器をそれぞれ設けている。そして、図８（ａ）に示すように、室外凹状部排水孔１９ｄを設けた位置と略対応する下枠１０の室外側面には、室外排水孔１９ｆを設けている。室外排水孔１９ｆにも、水の逆流を防ぐ排水器をそれぞれ設けている。
【００４３】
下枠１０の排水構造を以上のように構成することにより、下枠１０に浸入した水を効率よく室外に排出させることができる。また、室内凹状部１５と中間凹状部１６に浸入した水については、低い位置に形成される下枠カバー体７０の室内側上面７２の排水孔７６から金属下枠１１に導くようにしたので、室内側から水が見えにくく、美観を損ねることなく排水を行うことができる。
【００４４】
これまで本発明の実施形態について説明したが、本発明の適用はこれら実施形態には限られず、その技術的思想の範囲内において様々に適用されうるものである。
【図面の簡単な説明】
【００４５】
【図１】本実施形態における下枠フラットサッシの縦断面図である。
【図２】本実施形態における下枠フラットサッシの横断面図である。
【図３】図１の縦断面図における下枠付近の拡大図である。
【図４】下枠の組立図である。
【図５】下枠の平面図である。
【図６】気密ブロックの斜視図である。
【図７】下枠の排水構造を示した縦断面図である。
【図８】下枠の排水構造を示した（ａ）正面図と（ｂ）平面図である。
【符号の説明】
【００４６】
１    枠体
２    内障子
３    外障子
１０    下枠
１３    内レール
１４    外レール
１５    室内凹状部
１６    中間凹状部
１７    室外凹状部
２０    上枠
３０    縦枠
４０    下框
５０    上框
６０    縦框
７０    下枠カバー体
７２    室内側上面
７３    室外側上面
７４    段部
【図１】
2005273231.tif 000003
【図２】
2005273231.tif 000004
【図３】
2005273231.tif 000005
【図４】
2005273231.tif 000006
【図５】
2005273231.tif 000007
【図６】
2005273231.tif 000008
【図７】
2005273231.tif 000009
【図８】
2005273231.tif 000010